(57)【要約】【課題】  本発明は、上記問題に鑑み、ケーブルの固定時に固定箇所が目立たず外観上良好となるケーブル固定構造及びケーブル固定方法を提供することを課題とする。【解決手段】  壁等の付設対象物５にケーブル６を付設するためのケーブル固定構造であって、熱収縮性を有する管状体１の内部に剛性を有する基材２が挿入され、該基材２が固定手段４によって付設対象物５に固定されることにより、前記管状体１が固定され、管状体１の内部にケーブル６が挿通された状態で管状体２が熱収縮することにより、ケーブル６が固定されることを特徴とする。【選択図】      図１
2006141117.tif 000002
【特許請求の範囲】
【請求項１】
壁等の付設対象物にケーブルを付設するためのケーブル固定構造であって、
熱収縮性を有する管状体の内部に剛性を有する基材が挿入され、
該基材が固定手段によって付設対象物に固定されることにより、前記管状体が固定され、
管状体の内部にケーブルが挿通された状態で管状体が熱収縮することにより、ケーブルが固定されることを特徴とするケーブル固定構造。
【請求項２】
壁等の付設対象物にケーブルを付設するためのケーブル固定方法であって、
熱収縮性を有する管状体の内部に剛性を有する基材を挿入し、
該基材を固定手段により付設対象物に固定することにより、前記管状体を固定し、
管状体の内部にケーブルを挿通した状態で管状体を熱収縮させることにより、ケーブルを固定することを特徴とするケーブル固定方法。
【請求項３】
前記管状体は、該管状体の内部に挿通されるケーブルと同様の色彩を有するか、又は、透明であることを特徴とする請求項１に記載のケーブル固定構造。
【請求項４】
前記基材は、ケーブルの直径と同等若しくはそれよりも小さい幅寸法を有する板状体であることを特徴とする請求項１又は３に記載のケーブル固定構造。
【請求項５】
前記固定手段は、棒状部と、該棒状部の一端部に形成される膨径部とを有し、基材と管状体とが重なる部分において、該基材と管状体とを貫通して付設対象物に挿入されるピン、釘、画鋲、リベット、ステープル、又は、ネジであることを特徴とする請求項１、３又は４のいずれかにに記載のケーブル固定構造。
【発明の詳細な説明】
【技術分野】
【０００１】
本発明は、動力線、通信線等のケーブルを壁等の付設対象物に沿わせて付設するに際し、該ケーブルを固定するためのケーブル固定構造及びケーブル固定方法に関する。
【背景技術】
【０００２】
従来、屋内においてケーブルの付設を行う際には、ステープル等のケーブル固定具を用いて所定間隔ごとにケーブルを挟みこんで固定する方法や、断面矩形状を有する管状のケーブルカバー（いわゆるモール）の中にケーブルを収納し、このモールを壁等の付設対象物に両面粘着テープや接着剤等によって取り付ける方法が採用されていた。
【発明の開示】
【発明が解決しようとする課題】
【０００３】
しかし、前記ステープル等のケーブル固定具は、付設対象物に所定間隔ごとに配置されるものであるため、個々が十分な挟持力を発揮すべくある程度の大きさに形成されており、付設対象物に取り付けられると目立って外観を損なうという問題がある。また、ステープル等のケーブル固定具は、ケーブルを配置した上でその外側から施す必要があるため、ケーブルの重みに影響されて位置決めが困難であるという問題もある。
【０００４】
一方、モールは、それ自体がケーブルを挿入できる大きさを有するため、付設対象物に取り付けられると目立って外観を損なう上に、一般にモールは硬質且つ直線状であるため、取り回しの自由がきかないという問題がある。また、モールが取り付けられる付設対象物が石膏ボードやベニヤ板等からなる壁面であれば、モールを撤去する際、接着剤等が壁面を部分的に剥離させて撤去後の外観を損なうという問題もある。
【０００５】
そこで、本発明は、上記問題に鑑み、ケーブルの固定時に固定箇所が目立たず外観上良好となるケーブル固定構造及びケーブル固定方法を提供することを目的とする。
【課題を解決するための手段】
【０００６】
本発明に係るケーブル固定構造は、壁等の付設対象物にケーブルを付設するためのケーブル固定構造であって、熱収縮性を有する管状体の内部に剛性を有する基材が挿入され、該基材が固定手段により付設対象物に固定されることにより、前記管状体が固定され、管状体の内部にケーブルが挿通された状態で管状体が熱収縮することにより、ケーブルが固定されることを特徴とする。
【０００７】
また、本発明に係るケーブル固定方法は、壁等の付設対象物にケーブルを付設するためのケーブル固定方法であって、熱収縮性を有する管状体の内部に剛性を有する基材を挿入し、該基材を固定手段により付設対象物に固定することにより、前記管状体を固定し、管状体の内部にケーブルを挿通した状態で管状体を熱収縮させることにより、ケーブルを固定することを特徴とする。
【０００８】
上記構成からなるケーブル固定構造及びケーブル固定方法によれば、熱収縮性を有する管状体は加熱されることによって熱収縮する。しかも、管状体は基材と付設対象物との間に挟まれた状態となることから、熱収縮は基材に向かって起こる。これにより、管状体内に挿通されたケーブルは基材上で固定され、また、ケーブルと基材とは管状体によって包囲される態様となる。
【０００９】
また、前記管状体が、該管状体の内部に挿通されるケーブルと同様の色彩を有する構成や、透明である構成を採用することすることができる。このようにすれば、ケーブルを固定した際に、ケーブルと管状体とが色違いになることがない。
【００１０】
さらに、前記基材は、ケーブルの直径と同等若しくはそれよりも小さい幅寸法を有する板状体である構成を採用することができる。このようにすれば、ケーブルを固定すると、ケーブルが板状体を覆い隠す態様となる。
【００１１】
そして、前記固定手段には、棒状部と、該棒状部の一端部に形成される膨径部とを有し、基材と管状体とが重なる部分において、該基材と管状体とを貫通して付設対象物に挿入されるピン、釘、画鋲、リベット、ステープル、又は、ネジを用いることができる。これらを用いれば、棒状部は基材と管状体とを貫通して付設対象物に挿入され、膨径部は基材と管状体とを付設対象物に押し付け、ケーブルが付設対象物に固定される状態となる。
【発明の効果】
【００１２】
以上のように、本発明によれば、管状体は熱収縮してケーブルの表面の一定範囲に密着するため、ケーブルの固定箇所が目立たず外観上良好となる。
【００１３】
また、管状体が、ケーブルと同様の色彩を有する構成や、透明である構成を採用すれば、ケーブルを固定した際に、ケーブルと管状体とが色違いになることがないため、ケーブルの固定箇所がより目立たず外観上良好となる。そして、基材として、ケーブルの直径と同等若しくはそれよりも小さい幅寸法を有する板状体を採用すれば、板状体がケーブルに覆い隠され、ケーブルの固定箇所が目立たず外観上さらに良好となる。
【００１４】
さらに、固定手段としてピン、釘、画鋲、リベット、ステープル、又は、ネジを用いた場合には、これらの棒状部が付設対象物に挿入され、且つ、膨径部が基材と管状体とを付設対象物に押し付けることで、ケーブルが付設対象物に固定されるため、ケーブルを撤去するには棒状部を付設対象物から抜き取ればよく、付設対象物に残る形跡が目立たず、撤去後の外観をも良好にすることができる。
【発明を実施するための最良の形態】
【００１５】
以下に、本発明に係るケーブル固定構造及びケーブル固定方法の実施形態について図面に基づいて説明する。
【００１６】
本実施形態に係るケーブル固定構造は、図１に示すように、熱収縮性を有する管状体１と、剛性を有し、該管状体１に挿入される基材２とを備えるケーブル固定具３を用い、基材２を固定手段４により壁等の付設対象物５に固定することで、ケーブル固定具３を付設対象物５に固定し、さらに、管状体１内にケーブルを挿入し、図２に示すように、該管状体１を熱収縮させることでケーブル６を固定して構成される。
【００１７】
前記管状体１は、熱収縮性を有し、両端が開口された筒形状の部材であり、熱処理によって径方向にほぼ均等に収縮し、ケーブル６及び基材２を包囲する。なお、管状体１の色彩は、ケーブル６と同様のもの又は透明のものを採用すれば、管状体１が目立たず外観上良好である。また、管状体１の材質としては、ポリ塩化ビニル、ポリエチレン、ポリスチレン、ポリプロピレン、ポリエチレンテレフタレート等が用いられる。具体的には、管状体１は、熱収縮する前の状態で、直径約１０ｍｍ、長さ約３０ｍｍの寸法を有する。
【００１８】
また、管状体１を熱収縮させるための熱処理は、人為的に熱風等を当てることで施されるが、常温で熱収縮する材質のものにあっては、熱収縮の起こらない低温雰囲気下から管状体１を取り出し、常温下に置くことによって熱処理を施すことができる。
【００１９】
前記基材２は、剛性を有する長方形状の板状体であり、その一方の面と前記管状体１の内周面の一部とが接着剤等の接着手段によって一体化されている。なお、基材２はいかなる材質のものであっても良いが、ケーブルと接触するものであるため、金属以外のものが好ましく、また、製造コストや加工の容易さを考慮すれば、プラスチックであることがより好ましい。具体的には、基材２は、長さが前記管状体１と同等の約３０ｍｍであり、幅がケーブル６の直径と同等若しくはそれよりも狭い寸法を有するプラスチック製の板である。
【００２０】
また、基材２には、基材２を付設対象物５に固定するために前記固定手段４を受け入れる固定孔７，７が、幅方向の中央且つ長手方向の両端部に二つ形成されている（図１参照）。
【００２１】
前記固定手段４は、棒状部４ａと、該棒状部４ａの一端部に形成される膨径部４ｂとを有するもの（図１参照）、例えばピンや釘、画鋲、リベット、ステープル、ネジ等が該当する。これらは、棒状部４ａが管状体１及び基材２を貫通して付設対象物５に挿入され且つ膨径部４ｂが基材２を挿入方向に押し付けるように接触することで、基材２を付設対象物５に固定する。具体的には、固定手段４は二つ用いられ、該固定手段４は膨径部４ｂよりも棒状部４ａの先端部同士が近接するように、打込装置（図示しない）を用いてそれぞれ斜めに挿入される。
【００２２】
ケーブル固定具３によって固定されるケーブル６は、電流を通ずる金属線を絶縁体で被覆して構成される動力線や、モジュラーケーブル、ＬＡＮケーブル若しくは光ファイバーケーブル等の通信線などである。なお、具体的には、ケーブル６は、約５ｍｍの直径を有する。
【００２３】
上記のケーブル固定具３は、図３に示すように、以下の方法によって製造される。まず、所定長さの長尺基材８に所定間隔ごとに固定孔７…を形成する（図３（イ））。次に、長尺基材８を熱収縮性素材で作られた所定長さの長尺管状体９に挿入する（図３（ロ））。そして、長尺基材８の一方の面と長尺管状体９の内周面の一部とを接着して一体化させる（図３（ハ））。最後に、前記長尺基材８に形成した固定孔７が両端部の二箇所に位置するように、前記一体化した長尺基材８及び長尺管状体９を分割し、ケーブル固定具３を形成する（図３（ニ））。
【００２４】
そして、上記製法で得られたケーブル固定具３は、以下のように使用される。まず、図１に示すように、固定手段４を、管状体１の開口から基材２の固定孔７を通して付設対象物５の所望の位置に挿入し、基材２を付設対象物５に固定する。次に、基材２の他方の面と管状体１の内周面の他部とで画される空間にケーブル６を挿入する。そして、管状体１に熱風を当てて熱収縮させると、図２に示すように、管状体１が基材２とケーブル６とを包囲し、ケーブル６が固定される状態となる。
【００２５】
このように、本実施形態に係るケーブル固定具３によれば、管状体１は熱収縮してケーブル６の表面の一定範囲に密着するため、ケーブルの固定箇所が目立たず外観上良好となる。しかも、管状体１がケーブル６と同様の色彩又は透明であるので、さらに目立ちにくく外観上良好となる。
【００２６】
また、基材２がケーブル固定具３の芯部材として機能するため、ケーブル固定具３を付設対象物５に固定する作業や、これにケーブル６を挿入する作業が容易になる。さらに、基材２は、ケーブル６を固定した際に重力等の外力が作用する面積を拡大させるように作用し、管状体１にかかる力を分散させ、管状体１が破損することを防止できる。
【００２７】
さらに、ケーブル固定具３は、固定手段４の棒状部４ａが付設対象物５に突入し、膨径部４ｂと付設対象物５とが基材２と管状体１とを挟持する態様で固定されるため、ケーブル固定具３と付設対象物５との接触面を接着せずとも固定することができる。従って、撤去の際には棒状部４ａを付設対象物５から抜き取ればよく、付設対象物５に残る形跡は棒状部４ａが付設対象物５に突入した形跡のみとなって目立たず、接着によって固定した場合のように、付設対象物を部分的に剥離させてしまうことがなく、撤去後の付設対象物５の外観をも良好にすることができる。
【００２８】
なお、本発明に係るケーブル固定構造は、上記実施形態に限定されるものではなく、本発明の要旨を逸脱しない範囲で種々の変更が可能である。
【００２９】
例えば、本発明のケーブル固定構造に係るケーブル固定具は、単に一本のケーブルの中間部分を固定する用途だけではなく、二つのケーブル同士やケーブルと他の部材との連結部を固定する用途でも用いることができる。例えば、光ファイバーとコネクターとを管状体１の中において連結させてこれを熱収縮させると、光ファイバーとコネクターとの間の光ファイバーの露出部分を被覆する作業と、これらを付設対象物５に固定する作業とを、同時に行うことができる。
【００３０】
また、前記管状体１及び前記基材２（前記長尺基材８及び前記長尺管状体９）は必ずしも接着される必要はなく、ケーブル固定具３を付設対象物５に固定する際に、基材２と付設対象物５とで管状体１を挟持する構成であっても良い。これにより、接着工程を省略することができる。この場合であっても、管状体１は付設対象物５に固定されているため、管状体１が熱収縮に伴って不用意に長手方向に縮まるのを防止し、ケーブル６を固定した際に管状体１にかかる力を分散させて管状体１が破損することを防止する、という基材２の機能が損なわれることはない。
【００３１】
そして、ケーブル固定具３の製造方法においては、長尺基材８と長尺管状体９とを接着して一体化させた後に分割した（図３（ハ）及び（ニ））が、これを分割せずに、長尺基材８を基材２とし、長尺管状体９を管状体１とし、即ち、図３（ハ）に示す長尺基材８及び長尺管状体９の一体化物をケーブル固定具３として用いれば、ケーブル６を長い範囲で被覆することもできる。
【００３２】
さらに、前記固定孔７は基材２の両端部の二箇所に形成されるものでなくてもよく、図４（イ）に示すように、例えば基材２の長手方向中間位置の一箇所に形成されるものであってもよい。このように構成すれば、挿入作業を簡略化できる。また、この場合には、前記基材２に形成された一つの固定孔７と連通し且つ固定手段４を通過させることが可能な通過孔１０が、管状体１に予め形成されることが望ましい。
【００３３】
また、図４（ロ）に示すように、長尺管状体９のみを所定長さに分割して管状体１を形成し、前記長尺基材８に所定間隔をおいて形成された固定孔７が覆われないように管状体１を接着して、これをケーブル固定具３として用いれば、管状体１が直線的に配置されるため、所定長さのケーブル固定具３を複数個直線状に並べてケーブル６を固定する場合に比べ、より一層直線的に外観良くケーブル６を固定することができる。
【００３４】
そして、図４（ハ）に示すように、基材２が管状体１の開口より外方に両端部が突出し、該突出部分に固定孔７，７が設けられた構成であってもよい。このようにすれば、固定手段４を固定孔７に対して垂直に挿入することでケーブル固定具３を固定でき、容易に固定作業を行うことができる。
【００３５】
さらに、図５（イ）に示すように、基材２の管状体１の内側を向く面は、ケーブルの有する曲面に沿うように幅方向に湾曲させて形成してもよい。このように構成すれば、ケーブル６と基材２との接触がより密になり、ケーブル６をより確実に固定することができる。さらに、当初ケーブル６が基材２の幅方向中心に位置せず幅方向のいずれかの側に偏在していても、管状体１の熱収縮に伴って基材２の幅方向中心に移動する。従って、ゆがみが矯正された状態でケーブル６を固定することができる。
【００３６】
また、図５（ロ）に示すように、基材２は、幅方向中間部において（例えば、断面Ｌ字状に）屈曲し、取付部１１と補助部１２とを有するものであってもよい。かかる基材２は、取付部１１に固定孔７が形成されており、ケーブル固定具３が付設対象物５に垂直に固定されると、補助部１２が重力に対抗してケーブル６を支持する。また、幅方向中間部において屈曲しているため、長手方向での撓みを平坦な基材を用いた場合に比べて減少させることができ、ケーブル固定具３の固定作業が容易になる。
【００３７】
そして、固定孔７は予め形成されるのではなく、前記固定手段４を挿入するのと同時に形成されるものであってもよい。この場合、図５（ハ）に示すように、予め基材２の幅方向中間部に長手方向に沿う直線上に溝１３を形成して基材２に薄肉な部分を設ければ、固定の際に該溝１３の部分を固定手段４で突き破って固定孔７を容易に形成することができる。
【００３８】
さらに、上記の管状体１及び基材２の寸法は、上記に限られるものではなく、ケーブルの径や、ケーブルを固定する領域の大きさに応じて適宜変更することができる。
【図面の簡単な説明】
【００３９】
【図１】本発明の実施形態に係るケーブル固定具を、固定手段を用いて付設対象物に固定する状態の斜視図を示す。
【図２】本発明の実施形態に係るケーブル固定構造の斜視図であって、ケーブルを付設対象物に固定した状態を示す。
【図３】本発明の実施形態に係るケーブル固定具の製造工程を示す斜視図であって、（イ）は、長尺基材に固定孔を形成する状態を示し、（ロ）は、長尺基材を管に挿入する状態を示し、（ハ）は、長尺基材と管とを接着して一体化した状態を示し、（ニ）は、長尺基材と管材とを一体化したものを分割した状態を示す。
【図４】本発明の他の実施形態を示す図であって、（イ）は、基材の長手方向中間位置に固定孔を一つ形成し、且つ管状体に通過孔を一つ形成したケーブル固定具を示し、（ロ）は、長尺基材に形成された固定孔が覆われないように、長尺基材に複数の管状体を接着したケーブル固定具を示し、（ハ）は、基材が管状体１の開口より外方に両端部が突出し、該突出部分に固定孔が二つ形成されたケーブル固定具を示す。
【図５】本発明の他の実施形態を示す図であって、（イ）は、ケーブルの有する曲面に沿うように幅方向に湾曲させて形成された基材を有するケーブル固定具を示し、（ロ）は、幅方向中間において断面Ｌ字状に屈曲させて形成された基材を有するケーブル固定具を示し、（ハ）は、幅方向ほぼ中間に、長手方向に沿う直線上に溝を形成して薄肉な部分を設けた基材を示す。
【符号の説明】
【００４０】
１…管状体、２…基材、３…ケーブル固定具、４…固定手段、４ａ…棒状部、４ｂ…膨径部、５…付設対象物、６…ケーブル、７…固定孔、８…長尺基材、９…長尺管状体、１０…通過孔、１１…取付部、１２…補助部、１３…溝
【図１】
2006141117.tif 000003
【図２】
2006141117.tif 000004
【図３】
2006141117.tif 000005
【図４】
2006141117.tif 000006
【図５】
2006141117.tif 000007